(57)【要約】【課題】平板状のグロメットのプレート面に複数のスリットを加工する簡便構造のグロメット溝分割切断装置を提供する。【解決手段】グロメット１はこのスリット３の形状に対応するスリット溝２ｂを有するワーク受けホルダ２にカラー１１を介して挿設され、このスリット３と対応する刃物４の押圧により切断加工される。なお、グロメット１は切断加工時にその外周部１ａに押圧されるクッション用部材６により定位置に保持される。【選択図】図１
0003119758.tif 000002
【実用新案登録請求の範囲】
【請求項１】
構造体（主として平板）に嵌め込まれるプレート状のグロメットのプレート面にワイヤハーネス等を挿入保持するための複数のスリット（溝）を分割切断するための分割切断装置であって、該装置は、グロメットを保持すると共に前記スリットに対応する位置にスリット溝を形成し不動側に保持されるワーク受けホルダと、前記グロメットの前記プレート面に対峙して配置され、前記スリット溝に挿脱される刃物と、該刃物を保持して往復動させると共に前記ワーク受けホルダ側に押圧する刃物保持押圧手段とを有することを特徴とするグロメット溝分割切断装置。
【請求項２】
前記刃物保持押圧手段には、前記刃物によるスリット切断時において前記グロメットの前記プレート面以外の部位を弾性支持するクッション用部材が設けられることを特徴とする請求項１に記載のグロメット溝分割切断装置。
【請求項３】
前記刃物が、複数のスリットに対応する複数刃のものからなることを特徴とする請求項１又は請求項２に記載のグロメット溝分割切断装置。
【請求項４】
前記複数刃物が、同一形状の一枚刃を組み合わせたものからなることを特徴とする請求項３に記載のグロメット溝分割切断装置。
【請求項５】
前記刃物は、長方形状のものからなり、前記刃物保持押圧手段への保持時においてその刃部が先端から基端に向かって上り傾斜して保持されることを特徴とする請求項１ないし請求項４いずれかに記載のグロメット溝分割切断装置。
【考案の詳細な説明】
【技術分野】
【０００１】
本考案は、構造体（主とし平板）に嵌め込み保持された状態でワイヤ等を挿通保持するグロメットのスリット（溝）を分割切断するためのグロメット溝分割切断装置に関する。
【背景技術】
【０００２】
構造体に保持されて部材を挿通保持するグロメットとしては各種形状のものがあり、スリットを有するグロメットとしては、例えば、「特許文献１」や「特許文献２」があるが、これ等は本考案のものとは相異している。一方、細長なワイヤ（電線）を挿通保持するグロメットとしては平板状のものが通常使用される。このグロメット１は図４に示す形状のものからなる。即ち、このグロメット１は平板リング状の外周部１ａとこの外周部１ａの内部に張架状態で一体的に形成されるプレート面１ｂからなり、外周部１ａにはリング溝１ｃが形成される。なお、このグロメット１は射出成形等により一体的に成形されるものであり、通常ゴム体からなる。
【特許文献１】特開２００４−３５９０２５
【特許文献２】特開平８−１４９６５９号
【考案の開示】
【考案が解決しようとする課題】
【０００３】
グロメット１は図５に示すように、平板の構造体９にリング溝１ｃを嵌め込んだ状態で構造体９に保持され、その中心部にワイヤ１０を挿通保持する状態で使用される。そのため、グロメット１には図４に示すようにプレート面１ｂに複数のスリット３を貫通形成するものからなる。このスリット３は、例えば、６等分に分割されるものからなり、スリット３の幅寸法は、例えば、０．２ｍｍ程度のごく細いものからなる。
このスリット３は、例えば、「ハサミ」等により手動分割することも可能であるが、グロメット１は多量生産される必要があり、「ハサミ」等により手動分割切断では非効率である。よって、機械的に分割切断することが必要である。しかしながら、グロメット１のスリット３を機械的に分割切断する簡便構造の公知技術は本出願人の調査では見当らない。
【０００４】
本考案は、以上の事情に鑑みて考案されたものであり、グロメットのスリットを効率的に、かつ高品質に分割切断できると共に簡便構造のものから形成され、取扱性のよいグロメット溝分割切断装置を提供することを目的とする。
【課題を解決するための手段】
【０００５】
本考案は、以上の目的を達成するために、請求項１の考案は、構造体（主として平板）に嵌め込まれるプレート状のグロメットのプレート面にワイヤハーネス等を挿入保持するための複数のスリット（溝）を分割切断するための分割切断装置であって、該装置は、グロメットを保持すると共に前記スリットに対応する位置にスリット溝を形成し不動側に保持されるワーク受けホルダと、前記グロメットの前記プレート面に対峙して配置され、前記スリット溝に挿脱される刃物と、該刃物を保持して往復動させると共に前記ワーク受けホルダ側に押圧する刃物保持押圧手段とを有することを特徴とする。
【０００６】
また、請求項２の考案は、前記刃物保持押圧手段には、前記刃物によるスリット切断時において前記グロメットの前記プレート面以外の部位を弾性支持するクッション用部材が設けられることを特徴とする。
【０００７】
また、請求項３の考案は、前記刃物が、複数のスリットに対応する複数刃のものからなることを特徴とする。
【０００８】
また、請求項４の考案は、前記複数刃物が、同一形状の一枚刃を組み合わせたものからなることを特徴とする。
【０００９】
また、請求項５の考案は、前記刃物は、長方形状のものからなり、前記刃物保持押圧手段への保持時においてその刃部が先端から基端に向かって上り傾斜して保持されることを特徴とする。
【考案の効果】
【００１０】
本考案の請求項１のグロメット溝分割切断装置によれば、スリット未加工のグロメットをワーク受けホルダに装着し、刃物保持押圧手段を作動することにより刃物がグロメットのプレート面を切断してワーク受けホルダのスリット溝に挿入される。これにより、プレート面に複数のスリットが分割切断される。
【００１１】
また、本考案の請求項２のグロメット溝分割切断装置によれば、スリットの分割切断時においてグロメットはそのプレート面以外の外周部をグロメット用部材により弾性支持されるため、グロメットはワーク受けホルダに安定保持された状態でスリットを加工することができる。
【００１２】
また、本考案の請求項３のグロメット溝分割切断装置によれば、刃物が複数刃からなり、複数のスリットが同時に加工される。これにより、スリット加工効率の向上が図れる。
【００１３】
また、本考案の請求項４のグロメット溝分割切断装置によれば、複数刃の刃物は、一枚刃のものを複数組み合わせたものからなり、刃物の加工コストが安価になると共に刃物の切部故障時においての交換が簡単に対応できる。
【００１４】
また、本考案の請求項５のグロメット溝分割切断装置によれば、刃物は、製作し易い長方形状のものからなり、刃物保持押圧手段に保持時においては刃部を傾斜して取り付け、スリットの形成を容易にし、高品質のスリットを確実に形成することができる。
【考案を実施するための最良の形態】
【００１５】
以下、本考案のグロメット溝分割切断装置の実施の形態を図面を参照して詳述する。
図１は本考案のグロメット溝分割切断装置１００の概要構造を示す。グロメット溝分割切断装置１００は大別するとグロメット１と、ワーク受けホルダ２と、グロメット１にスリット３を分割切断形成するための刃物４と、この刃物４を保持すると共に押圧力を加えて往復動する刃物保持押圧手段５と、クッション用部材６等とからなる。
【００１６】
ワーク受けホルダ２は、図１及び図２に示すように底面を不動側の支持台７に着脱可能に固定され、上方側に縮径部２ｃを形成する円筒体状のものからなり、その中央部には刃物４が通過するスリット溝２ｂが形成される。なお、このスリット溝２ｂは本実施例では６等分のものからなり、この溝幅δは刃物４の厚みｄ（図３（ｂ）、（ｃ）に示す）よりもやや厚幅のものからなる。この縮径部２ｃにはカラー１１が着脱可能に挿着され、カラー１１の外周にはグロメット１が着脱可能に挿着される。当然ながら、スリット溝２ｂの数はグロメット１に形成されるスリット３と同一数のものからなる。縮径部２ｃに挿着されるカラー１１はグロメット１の内径に対応するものであり、このカラー１１を変えることにより、他のサイズのグロメット１に対しても本実施例のワーク受けホルダ２は対応することができる。
【００１７】
刃物４は図１及び図３に示すように長方形状の１枚刃４ａを組み合わせたものからなり、例えば、超硬質材からなる。この刃物４は厚みｄの薄幅のプレートからなり、図３（ａ）、（ｂ）に示すように先端に刃部４ｂを形成すると共に係止溝４ｃを有するものからなる。
【００１８】
刃物保持押圧手段５は、保持具５ａと、この保持具５ａに連結される押圧具８等とからなる。押圧具８としては任意のものでよく、例えば、テコ式のものやシリンダ等が用いられるがその詳細構造は省略する。また、保持具５ａの下面側には傾斜面５ｃが形成されると共に、刃物４の係止溝４ｃに嵌り込んで刃物４の取り付け姿勢を保持する抜け止めガイド５ｄが突出して設けられている。以上により、刃物４は図１及び図３に示すようにグロメット１に対して下面側の刃部４ｂを傾斜した状態でボルト５ｂにより刃物保持押圧手段５側に固定される。
【００１９】
クッション用部材６は、スライドロッド６ａと、このスライドロッド６ａを摺動自在に支持する中空円筒体状のガイド筒６ｂと、ガイド筒６ｂ内に収納されてスライドロッド６ａに当接するスプリング６ｃとからなり、ガイド筒６ｂは前記刃物保持押圧手段５側に基端側を固定されて支持される。また、スライドロッド６ａは、その先端に弾性体状の膨出部６ｄが形成され、グロメット１を押圧する際のグロメット１側の損傷を防止するようにしている。また、スライドロッド６ａはガイド筒６ｂから抜け出し（又は落下）しないように二段構造からなり、ガイド筒６ｂには段部を保持する突出部６ｅが形成される。
【００２０】
次に、本考案のグロメット溝分割切断装置１００によるグロメット１のスリット３の加工について説明する。まず、スリット加工するグロメット１の形状に対応するワーク受けホルダ２を支持台７上に固定する。一方、刃物保持押圧手段５の保持具５ａにグロメット１のスリット３に対応する刃物４を取り付ける。
【００２１】
グロメット１をワーク受けホルダ２に嵌め込むと、その外周部１ａにクッション用部材６の膨出部６ｄが当接し、グロメット１はワーク受けホルダ２側の所定位置に保持される。なお、この状態では図１に示すように刃物４はグロメット１のプレート面１ｂからやや離れた位置にある。
【００２２】
次に、刃物保持押圧手段５を作動し、全体をグロメット１側に移動すると、グロメット１はその外周部１ａをクッション用部材６により押圧され、この状態で刃物４がグロメット１のプレート面１ｂを貫通し、ワーク受けホルダ２のスリット溝２ｂ内に挿入される。以上により、図４に示すようなスリット３がグロメット１のプレート面１ｂに切断形成される。スリット３の加工後に刃物保持押圧手段５を後退させ、グロメット１をワーク受けホルダ２から取り外すことによりグロメット１のスリット３の加工が終了する。
【００２３】
以上のように、本考案のグロメット溝分割切断装置によるグロメット１のスリット３の加工は極めて簡単に、かつ効率的に行われ、幅狭のスリット３が高品質に加工される。なお、前記のように、グロメット１の形状や大きさ等が変った場合は、これに対応するワーク受けホルダ２や刃物４等を用意すればよく、グロメット溝分割切断装置１００自体は共通使用される。
なお、以上の説明における装置の各構成要素の構造は前記のものに限定するものではなく、同一の技術的範疇のもので適用されることは勿論である。
【産業上の利用可能性】
【００２４】
本考案のグロメット溝分割切断装置は、前記のような平板状のグロメットに対して主として採用されるものであるが、その形状や大きさや材質等について変化したものに対しても適用可能であり、その利用範囲は広い。
【図面の簡単な説明】
【００２５】
【図１】本考案のグロメット溝分割切断装置の全体概要構造を示す軸断面図。
【図２】本考案のグロメット溝分割切断装置におけるワーク受けホルダを示す上面図（ａ）及びＡ−Ａ線断面図（ｂ）。
【図３】本考案のグロメット溝分割切断装置における刃物とこれに対応するワーク受けホルダを示す部分正面図（ａ）と刃物の１枚刃を示す斜視図（ｂ）及び刃物とワーク受けホルダとの係合時の状態を示す部分断面図（ｃ）。
【図４】本考案のグロメット溝分割切断装置により加工されるグロメットの形状を示す上面図（ａ）及びこのＢ−Ｂ線断面図（ｂ）。
【図５】本考案のグロメット溝分割切断装置により加工されたグロメットの使用状態の一例を示す断面図。
【符号の説明】
【００２６】
１    グロメット
１ａ  外周部
１ｂ  プレート面
１ｃ  リング溝
２    ワーク受けホルダ
２ａ  ホルダ本体
２ｂ  スリット溝
２ｃ  縮径部
３    スリット
４    刃物
４ａ  １枚刃
４ｂ  刃部
４ｃ  係止溝
５    刃物保持押圧手段
５ａ  保持具
５ｂ  ボルト
５ｃ  傾斜面
５ｄ  抜け止めガイド
６    クッション用部材
６ａ  スライドロッド
６ｂ  ガイド筒
６ｃ  スプリング
６ｄ  膨出部
６ｅ  突出部
７    支持台
８    押圧具
９    構造体
１０  ワイヤ
１１  カラー
【図１】
0003119758.tif 000003
【図２】
0003119758.tif 000004
【図３】
0003119758.tif 000005
【図４】
0003119758.tif 000006
【図５】
0003119758.tif 000007